(57)【特許請求の範囲】
【請求項１】
データカード本体と回動自在コネクタとを具備した、回動自在コネクタを備えたデータカードであって、
前記回動自在コネクタは、回動自在コネクタ本体および外部デバイスと接続するための外部ポートを具備し、前記外部ポートは前記回動自在コネクタ本体に固定されており、且つ
前記回動自在コネクタは前記データカード本体に回動自在に接続され、
前記データカードはアンテナをさらに具備し、
該アンテナは前記回動自在コネクタ本体内に固定されていることを特徴とするデータカード。
【請求項２】
前記データカードは回路をさらに具備し、該回路は前記データカード本体内に搭載され、前記回路は接続機構を通じて前記アンテナと電気的に接続され、且つ前記回路は前記外部ポートと電気的に接続されていることを特徴とする請求項１に記載のデータカード。
【請求項３】
前記回動自在コネクタは回動シャフトを介して前記データカード本体と回動自在に接続されており、前記接続機構はケーブルであり、前記回動シャフトには軸方向に貫通孔が形成され、前記ケーブルは前記貫通孔内に組み付けられ、接続供給ポイントがアンテナに設けられ、前記ケーブルの一端は前記接続供給ポイントと電気的に接続され、且つ前記ケーブルの他端は前記データカード本体内の回路と電気的に接続されていることを特徴とする請求項２に記載のデータカード。
【請求項４】
前記回動自在コネクタは回動シャフトを介して前記データカード本体と回動自在に接続されており、前記回動シャフトは金属製で且つ前記データカード本体に対して固定されており、前記接続機構は金属製回動シャフトブラケットであり、該金属製回動シャフトブラケットは前記回動自在コネクタ内に搭載され、前記金属製回動シャフトブラケットは前記回動自在コネクタに対して固定され、接続供給ポイントがアンテナに設けられ、前記接続供給ポイントは前記金属製回動シャフトブラケットと電気的に接続され、前記金属製回動シャフトブラケットは前記金属製回動シャフトと電気的に接続され、且つ前記金属製回動シャフトは前記データカード本体内の回路と電気的に接続されていることを特徴とする請求項２に記載のデータカード。
【請求項５】
前記アンテナは前記回動自在コネクタ内に固定され、前記回動自在コネクタの内側壁に沿って延在していることを特徴とする請求項１〜４のいずれか一項に記載のデータカード。
【請求項６】
回動自在コネクタ本体と、外部デバイスと接続するための外部ポートと、を具備したデータカードのための回動自在コネクタであって、該回動自在コネクタはアンテナをさらに具備し、該アンテナが前記回動自在コネクタ本体内に固定されており、前記外部ポートは前記回動自在コネクタ本体内に固定されていることを特徴とするデータカードのための回動自在コネクタ。
【請求項７】
接続機構をさらに具備し、前記アンテナは前記接続機構と電気的に接続されていることを特徴とする請求項６に記載のデータカードのための回動自在コネクタ。
【請求項８】
前記回動自在コネクタは回動シャフトと接続され、前記接続機構はケーブルであり、前記回動シャフトには軸方向に貫通孔が形成され、前記ケーブルは前記貫通孔内に組み付けられ、接続供給ポイントがアンテナに設けられ、前記接続供給ポイントは前記ケーブルの一端と電気的に接続されていることを特徴とする請求項７に記載のデータカードのための回動自在コネクタ。
【請求項９】
前記回動自在コネクタは金属製回動シャフトと接続するように形成され、前記接続機構は金属製回動シャフトブラケットであり、該金属製回動シャフトブラケットは前記回動自在コネクタ本体内に搭載され、前記金属製回動シャフトブラケットは前記回動自在コネクタに対して固定され、接続供給ポイントがアンテナに設けられ、前記接続供給ポイントは前記金属製回動シャフトブラケットと電気的に接続され、前記金属製回動シャフトブラケットは前記金属製回動シャフトと電気的に接続されことを特徴とする請求項７に記載のデータカードのための回動自在コネクタ。
【請求項１０】
前記アンテナは前記回動自在コネクタ本体内に固定され、前記回動自在コネクタ本体の内側壁に沿って延在していることを特徴とする請求項６〜９のいずれか一項に記載のデータカードのための回動自在コネクタ。
【発明の詳細な説明】
【技術分野】
【０００１】
本願は、「DATA CARD WITH ROTATABLE CONNECTOR AND ROTATABLE CONNECTOR FOR DATA CARD」と題された、中華人民共和国特許庁に２００９年１１月３０日に出願された中華人民共和国特許出願第２００９２０２７２０２０．９号の優先権を主張するものであり、その全体の内容は参照することによってここに組み込まれている。
【０００２】
本発明は通信分野のデータカードに関し、より詳細には、回動自在コネクタを備えたデータカードおよびデータカードのための回動自在コネクタに関する。
【背景技術】
【０００３】
データカード（無線モデムまたはブロードバンドネットワークカードとも称される。）はその内部にアンテナが組み込まれ、外部ポートを介して外部デバイスまたはその他のデバイスと接続されて、外部デバイスまたはその他のデバイスがデータカードのアンテナを通じて無線ネットワークと接続されることを可能にしている。
【０００４】
既存のデータカードは、一般的に図１、２および３に示されたような、運搬を簡略化するための構造を備えており、すなわち、データカードはデータカード本体と、データカード本体に対して回動可能な回動自在コネクタと、を具備し、回動自在コネクタ２は外部ポート３を含んでいる。図１に示されたように、既存のデータカードの回動自在コネクタ２は、データカード本体１に対して破線によって図示されたような３つの位置に回動することが可能である。したがって、ユーザは回動自在コネクタ２を必要とされたある角度に回動させて、外部ポート３を介してデータカードを外部デバイスと接続する。データカードが使用されないときは、ユーザは回動自在コネクタ２をデータカード本体１の保存スペース内に回動させることが可能である。
【０００５】
図２に示されたように、外部ポートが９０°または２７０°（図示略）回動されたとき、データカードが外部デバイス内に挿入された後で、データカードは外部デバイスの表面に平行になる。図３に示されたように、外部ポート３が１８０°回動されたとき、データカードが外部デバイス内に挿入された後で、データカード本体１は外部デバイスの表面に直交する。外部ポート３が９０°または２７０°回動されたとき、データカードは外部デバイスの周囲の最小空間を占有し、それはユーザに利便性を提供する。その一方でデータカードはこの態様において使用されたとき、保護もされている。
【０００６】
本発明の実施において、発明者は、先行技術には少なくとも以下の問題が存在することを発見した。
【発明の概要】
【発明が解決しようとする課題】
【０００７】
図４に示されたように、回動自在コネクタを備えた既存のデータカードにおいて、アンテナ４はデータカード本体１の後端位置に形成されている。したがって、データカードが図３に示されたような態様、すなわちデータカードが外部デバイスの表面に直交するように使用されたとき、アンテナ４と外部デバイスとの間の距離は最大となり、アンテナ４は影響されない。しかしながら、データカードが図２に示されたような態様、すなわち回動自在コネクタの外部ポートが９０°または２７０°回動されて使用されたとき、データカード本体１は外部デバイスの表面に平行であり、データカード本体１は外部デバイスの表面に接近して、アンテナ４の性能は大きく影響を受け、この特アンテナ３の性能は激しく劣化する。したがって、ユーザはデータカードを異なった角度において使用し、アンテナ４の性能は安定せず、使用に影響している。
【課題を解決するための手段】
【０００８】
回動自在コネクタを備えた既存のデータカードが使用されるときの、使用に影響を与えるアンテナの性能が安定しないという先行技術の問題を解決するために、本発明は回動時在コネクタを備えたデータカードおよびデータカードのための回動自在コネクタを導いている。技術的解決は以下の通りである。
【０００９】
本発明は回動自在コネクタを備えたデータカードを提供し、データカードはデータカード本体と回動自在コネクタとを含んでいる。回動自在コネクタは外部デバイスと接続するための外部ポートを含んでいる。回動自在コネクタはデータカード本体と回動自在に接続されている。データカードは回動自在コネクタ内に搭載されたアンテナをさらに含んでいる。
【００１０】
一方で、本発明はデータカードのための回動自在コネクタも提供し、そのコネクタは回動自在コネクタ本体と外部デバイスと接続するための外部ポートとを具備し、回動自在コネクタは回動自在コネクタ本体内部に搭載されたアンテナをさらに含んでいる。
【発明の効果】
【００１１】
本発明の技術的解決は、以下の有利な効果を備えている。
【００１２】
本発明によれば、アンテナの回動自在コネクタ内への搭載を通じて、データカードのデータカード本体の角度が如何様に回転されても、アンテナと外部デバイスの端部との間の距離および外部デバイスの端部に対するアンテナの相対位置は変化せず、したがって、アンテナは同じ状態に維持されている。このようにして、アンテナと外部デバイスとの間の距離は固定され、外部デバイスに対するデータカード本体の相対位置のみが変化される。したがって、アンテナの性能は予め調節されて、外部デバイスに起因したアンテナの性能への干渉は排除される。一方で、アンテナが回動自在コネクタ内に配置されているので、後端位置に配置された場合、回動自在コネクタの得られる空間はアンテナによって占有された空間よりもはるかに大きく、これはアンテナの性能にきわめて有利である。さらに、アンテナは後部位置から回動自在コネクタへと移動されるので、アンテナはデータカード本体の空間を占有する必要がなく、データカードの長さは顕著に減少され、したがってデータカードの全体サイズはさらに減少されている。
【００１３】
本発明の実施形態による技術的解決をより詳細に図示するために、実施形態を記載するための添付図が以下に簡単に導入されている。明らかに、以下の記載における添付図は本発明のいくつかの実施形態のみであり、当業者は添付図から創造的な努力をすることなく他の図を引き出すことが可能である。
【図面の簡単な説明】
【００１４】
【図１】回動自在コネクタを備えた既存のデータカードの概略構造を示した図である。
【図２】外部ポートが９０°回動されたときの、図１の回動自在コネクタを備えたデータカードの概略構造を示した図である。
【図３】外部ポートが１８０°回動されたときの、図１の回動自在コネクタを備えたデータカードの概略構造を示した図である。
【図４】図１の回動自在コネクタを備えたデータカードの内部構造の概略を示した図である。
【図５】本発明による回動自在コネクタを備えたデータカードの、好適な内部構造を概略的に示した図である。
【図６】図５の内部構造の背面を示した図である。
【図７】本発明による回動自在コネクタを備えたデータカードの、別の好適な内部構造を概略的に示した図である。
【図８】本発明によるデータカードのための回動自在コネクタの好適な内部構造を概略的に示した図である。
【図９】本発明によるデータカードのための回動自在コネクタの別の好適な内部構造を概略的に示した図である。
【発明を実施するための形態】
【００１５】
本発明の目的、技術的解決および利点をより分かりやすくするために、本発明は実施形態および添付図を参照して以下にさらに詳細に記載されている。
【００１６】
好適な実施形態において、本発明は回動自在なコネクタを備えたデータカードを提供しており、その構成は図５、６および７に示されている。データカードはデータカード本体１と回動自在コネクタ２とを含んでいる。回動自在コネクタ２は外部デバイスと接続するための外部ポート３を含んでいる。回動自在コネクタ２はデータカード本体１と回動自在に接続されている。データカードは回動自在コネクタ２内に搭載されたアンテナ４をさらに含んでいる。
【００１７】
本発明の好適な実施形態において、アンテナ４は回動自在コネクタ２内に搭載されている。このように、データカードの角度は如何様にも回動され、アンテナ４と外部デバイスの端部との間の距離および外部デバイスの端部に対するアンテナ４の相対位置は変化することなく、外部デバイスに対するデータカード本体１の相対位置のみが変化する。したがって、アンテナ４は同一の状態に留まり、アンテナ４の性能は安定し、外部デバイスによる干渉によって変化しない。一方で、アンテナ４は回動自在コネクタ２内に配置されているので、後端位置に配置された場合、回動自在コネクタのとり得る空間は、アンテナ４によって占有された空間よりもはるかに大きく、これはアンテナ４の性能にきわめて有利である。さらに、アンテナ４は後部位置から回動自在コネクタ２へと移動されるので、データカードの長さは顕著に減少され、データカード全体のサイズはさらに減少されている。
【００１８】
好適に、図５、６および７に示されたように、データカードはデータカード本体１内に搭載された回路６を含み、この回路は接続機構を介してアンテナ４と電気的に接続されており、且つ外部ポート３と電気的に接続されている。回路６は具体的に印刷回路基板（ＰＣＢ）の形式、または他の形式の回路であってもよい。
【００１９】
本発明の好適な実施形態において、データカードの回路６はデータカード本体１内に搭載され、接続機構を介してアンテナ４と電気的に接続されており、回動自在コネクタ２の体積は減少され、このことは回動自在コネクタ２の回動を容易にしている。明らかに、回路６は他の位置に搭載されていてもよく、本発明の好適な実施形態はこれに限定されるものではない。
【００２０】
好適に、接続機構はケーブル５であってもよい。この実施形態の構成は図５に示されている。回動自在コネクタ２は回動シャフト７を介してデータカード本体１と回動可能に接続され、接続機構はケーブル５であり、回動シャフト７には軸方向に形成された貫通孔が存在し、ケーブル５は貫通孔内に搭載されている。図５に示されたように、アンテナ４には接続供給ポイント４１があり、ケーブル５の一端は接続供給ポイント４１と電気的に接続されている。接続供給ポイント４１の位置は要求にしたがって選択されてもよく、本発明においては限定されていない。図６に示されたように、ケーブル５の他端は回路６のアンテナ供給ポイント６１に電気的に接続されている。
【００２１】
上述の通り、図５および図６の構成を採用することによって、データカード本体１内に搭載された回路６は、回動自在コネクタ２内に搭載されたアンテナ４と外部ポート３とに電気的に安定して接続され、回路６はデータ送信のためにアンテナ４を介して無線ネットワークに接続され、且つ回動自在コネクタ２の回動を気にすることなくデータ送信のために外部ポート３を介して外部デバイスに接続される。
【００２２】
好適に、図７に示されたように、接続機構は導電体（例えば弾性金属シート８または導電ワイヤ）および金属製回動シャフトブラケット９であってもよい。電気伝導はアンテナ４と金属製回動シャフトブラケット９との電気的接続を構成している。明らかに、金属製回動シャフトブラケット９は導電体を使用することなくアンテナ４と直接電気的に接続されていてもよい。金属製回動シャフトブラケット９は回動自在コネクタ２内に搭載されており、金属製回動シャフトブラケット９は回動自在コネクタ２に対して固定され、金属製回動シャフトブラケット９は回動自在コネクタ２上に搭載されるか、または回動自在コネクタ２に組み付けられた他の部品に固定的に搭載されていてもよい。回動シャフト７はデータカード本体１に固定されている。金属製回動シャフトブラケット９は回動シャフト７に対して移動可能であり、すなわち、回動シャフト７は金属製回動シャフトブラケット９内で回動可能であり、回動自在コネクタ２がデータカード本体１に対して回動することを可能にしている。この実施形態の構成は図７に示されている。回動自在コネクタ２は回動シャフト７を介してデータカード本体１と回動可能に接続されている。接続機構は弾性金属シート８および金属製回動シャフトブラケット９であり、弾性金属シート８は回動自在コネクタ２内に搭載されている。アンテナ４には接続供給ポイント４１が存在し、接続供給ポイント４１は弾性金属シート８と電気的に接続されている。回動シャフト７は金属製回動シャフトであり、金属製回動シャフトは金属製回動シャフトブラケット９と電気的に接続されている。金属製回動シャフトはデータカード本体１に対して固定されており、金属製回動シャフトはデータカード本体１内において回路６と電気的に接続されている。したがって、回路６は回動シャフト７と電気的に接続されており、回動シャフト７は金属製回動シャフトブラケット９と電気的に接続されている。金属製回動シャフトブラケット９はアンテナ４と電気的に接続されており、アンテナ４の接続供給ポイント４１と回路６のアンテナ供給ポイントとは電気的に接続されている。導電性弾性シートまたは導電性バネは金属製回動シャフトブラケット９に搭載されてもよい。金属製回動シャフト７と接触し、金属製回動シャフト７と金属製回動シャフトブラケット９とを電気的に接続している。オプションとして、導電性弾性シートまたは導電性バネは金属製回動シャフト７内に搭載されて、金属製回動シャフト７と金属製回動シャフトブラケット９とを電気的に接続してもよい。
【００２３】
図７に示された上述の構成を伴って、データカード本体１内に搭載された回路６は回動自在コネクタ２内に搭載されたアンテナ４および外部ポート３と電気的に安定して接続され、回路６はデータ送信のためにアンテナ４を介して無線ネットワークに接続され、且つ回動自在コネクタ２の回動を気にすることなくデータ送信のために外部ポート３を介して外部デバイスに接続される。アンテナ４の接続供給ポイント４１は金属製回動シャフトブラケット９と導通し、金属製回動シャフトブラケット９は回動シャフト７と電気的に接続され、回動シャフト７は回路６のアンテナ供給ポイント６１と直接接続されている。このようにして、アンテナ４と回路６との間の接続が達成されている。
【００２４】
明らかに、接続機構がケーブルを使用した接続モードおよび弾性金属シートと金属製回動シャフトブラケットとを使用した接続モードに限定されないことを、当業者は理解すべきである。２つの接続モードは例示の目的のみに図示されており、本発明の保護範囲はそれに限定されるものではない。回路６は異なった接続モードを介してアンテナ４および外部ポート３と接続されてもよい。
【００２５】
好適に、図５および図７に示されたように、アンテナは回動自在コネクタ内に固定され、回動自在コネクタの内側壁に沿って延在している。図５および図７に示されたように、回動自在コネクタ２の内側壁は円弧形状であってもよく、アンテナ４は円弧形状にデザインされ、回動自在コネクタ２の内側壁に合致されてもよい。明らかに、回動自在コネクタのキャビティの形状は要求に応じてデザインされ、アンテナの形状もキャビティの内側壁の形状とともに変化されてもよい。好適に、アンテナ４は円弧形状の底部と、円弧形状の底部に直交した側壁と、を含み、アンテナ４は回動自在コネクタの側壁に固定され且つ合致されており、接続供給ポイント４１は円弧形状の底部に突き当たっている。
【００２６】
上述の図５および図７の構成を伴って、アンテナ４の長さは回動自在コネクタ２の体積と形状とを変化することなく可能な限り増大され、アンテナ４は回動自在コネクタ２の内側壁に安定して留められ、したがって、接続の安定性が向上されている。
【００２７】
別の好適な実施形態において、本発明はデータカードのためのさらなる回動自在コネクタを提供しており、その構成は図８および図９で示され、回動自在コネクタ２と、外部デバイスと接続するための外部ポート３と、を含んでいる。アンテナ４は回動自在コネクタ２内に搭載されている。
【００２８】
本発明の好適な実施形態において、アンテナ４は回動自在コネクタ２内に搭載されている。そのような回動コネクタを使用したデータカードは、回動自在コネクタ２に接続されたデータカード本体１を含んでおり、それは図５、６および７に示されたようなものである。データカード本体１の角度が如何様に回転されても、アンテナ４と外部デバイスの端部との間の距離および外部デバイスの端部に対するアンテナ４の相対位置は変化することなく、外部デバイスに対するデータカード本体１の相対位置のみが変化する。したがって、アンテナ４は同一の状態に維持されており、アンテナ４の性能は安定し、外部デバイスによる干渉によって変化しない。一方で、アンテナ４は回動自在コネクタ２内に配置されているので、後端位置に配置された場合、とり得る空間はアンテナ４によって占有された空間よりもはるかに大きく、これはアンテナ４の性能にきわめて有利である。さらに、アンテナ４は後部位置から回動自在コネクタ２へと移動されるので、データカードの回路６の前面の大きい締め出し領域は効果的に利用され、データカードの長さは顕著に減少され、データカード全体のサイズはさらに減少されている。
【００２９】
好適に、図８および９に示されたように、回動自在コネクタ２は接続機構をさらに含み、アンテナ４はこの接続機構と電気的に接続されている。
【００３０】
この実施形態の回動自在コネクタはデータカードの一部分であり、回動自在コネクタ２を備えたデータカードは、図５、６および７に示されたように、回動自在コネクタ２に接続されたデータカード本体１を含んでいる。回路６はデータカード本体１内に搭載されている。回路６は接続機構を介してアンテナおよび外部ポート３と個々に電気的に接続されている。
【００３１】
好適に、接続機構はケーブル５であってもよい。この実施形態の構成は図８に示されている。回動自在コネクタ２は回動シャフト７と接続されている。接続機構はケーブル５である。回動シャフト７には軸方向に形成された貫通孔が存在し、ケーブル５は貫通孔内に搭載されている。アンテナ４には接続供給ポイント４１があり、ケーブル５の一端は接続供給ポイント４１と電気的に接続されている。接続供給ポイント４１の位置は要求にしたがって選択されてもよく、本発明においては限定されていない。
【００３２】
上述の図８に示された構成を備えた回動自在コネクタ２がデータカード本体１に接続された場合、データカード本体１内に搭載された回路６は回動自在コネクタ２内に搭載されたアンテナ４および外部ポート３と電気的に安定して接続され、回路６はデータ送信のためにアンテナ４を介して無線ネットワークに接続され、且つ回動自在コネクタ２の回動を気にすることなくデータ送信のために外部ポート３を介して外部デバイスに接続される。一方で、図６を参照すると、この実施形態の回動自在コネクタ２と組み合わせて使用される、データカード本体１内の回路６が存在し、ケーブル５の他端は回路６のアンテナ供給ポイント６１と電気的に接続されている。
【００３３】
好適に、接続機構は導電体（例えば弾性金属シート８または導電ワイヤ）および金属製回動シャフトブラケット９であってもよい。電気伝導はアンテナ４と金属製回動シャフトブラケット９との電気的接続を構成している。明らかに、金属製回動シャフトブラケット９は導電体を使用することなくアンテナ４と直接電気的に接続されていてもよい。金属製回動シャフトブラケット９は回動自在コネクタ２内に搭載されている。金属製回動シャフトブラケット９は回動自在コネクタ２に対して固定されており、金属製回動シャフトブラケット９は回動自在コネクタ２上に固定的に搭載されているか、または回動自在コネクタ２に組み付けられた他の部品に固定的に搭載されていてもよい。金属製回動シャフトブラケット９は回動シャフト７に対して移動可能であり、すなわち、回動シャフト７は金属製回動シャフトブラケット９内で回動可能であり、回動自在コネクタ２がデータカード本体１に対して回動することを可能にしている。この実施形態の構成は図９に示されている。回動自在コネクタ２は回動シャフト７と接続されている。接続機構は弾性金属シート８および金属製回動シャフトブラケット９であり、弾性金属シート８は回動自在コネクタ２内に搭載されている。アンテナ４には接続供給ポイント４１が存在し、接続供給ポイント４１は弾性金属シート８と電気的に接続されている。金属製回動シャフトブラケット９は弾性金属シート８と電気的に接続されている。回動シャフト７は金属製回動シャフトであり、金属製回動シャフトは金属製回動シャフトブラケット９と電気的に接続されている。例えば、導電性弾性シートまたは導電性バネが金属製回動シャフトブラケット９に搭載され、導電性弾性シートまたは導電性バネが金属製回動シャフト７と接触して、金属製回動シャフト７と金属製回動シャフトブラケット９とを接触させてもよい。オプションとして、導電性弾性シートまたは導電性バネは金属製回動シャフト７内に搭載されて、金属製回動シャフト７と金属製回動シャフトブラケット９とを電気的に接続してもよい。
【００３４】
上述の図９に示された構成を備えた回動自在コネクタ２がデータカード本体１に接続された場合、データカード本体１内に搭載された回路６は回動自在コネクタ２内に搭載されたアンテナ４および外部ポート３と電気的に安定して接続され、回路６はデータ送信のためにアンテナ４を介して無線ネットワークに接続され、且つ回動自在コネクタ２の回動を気にすることなくデータ送信のために外部ポート３を介して外部デバイスに接続される。この実施形態の回動自在コネクタ２と組み合わせて使用される、データカード本体１内の回路６が存在している。回動シャフト７は金属製回動シャフトであり、この金属製回動シャフトはデータカード本体１に対して固定されている。金属製回動シャフトはデータカード本体１内の回路と電気的に接続されている。したがって、回路６は回動シャフト７と電気的に接続されており、回動シャフト７は金属製回動シャフトブラケット９と電気的に接続されており、金属製回動シャフトブラケット９はアンテナ４と電気的に接続されている。したがって、アンテナ４の接続供給ポイントと回路６のアンテナ供給ポイントとは電気的に接続されている。
【００３５】
明らかに、接続機構がケーブルを使用した接続モードおよび弾性金属シートと金属製回動シャフトブラケットとを使用した接続モードに限定されないことを、当業者は理解すべきである。２つの接続モードは例示の目的のみに図示されており、本発明の保護範囲はそれに限定されるものではない。外部ポート３は任意のモードを通じて回路６と電気的に接続されてもよい。
【００３６】
好適に、図８および図９に示されたように、アンテナは回動自在コネクタ内に固定され、回動自在コネクタの内側壁に沿って延在している。図８および図９に示されたように、回動自在コネクタ２の内側壁は円弧形状であってもよく、アンテナ４は円弧形状にデザインされ、回動自在コネクタ２の内側壁に合致されてもよい。明らかに、回動自在コネクタのキャビティの形状は要求に応じてデザインされ、アンテナの形状もキャビティの内側壁の形状とともに変化されてもよい。好適に、アンテナ４は円弧形状の底部と、円弧形状の底部に直交した側壁と、を含み、アンテナ４は回動自在コネクタの側壁に固定され且つ合致されており、接続供給ポイント４１は円弧形状の底部に突き当たっている。
【００３７】
上述の図８および図９の構成を伴って、アンテナ４の長さは回動自在コネクタ２の体積と形状とを変化することなく可能な限り増大され、アンテナ４は回動自在コネクタ２の内側壁に安定して留められ、したがって、接続の安定性を向上している。
【００３８】
上述の実施形態において、限定的ではないが、外部ポートはユニバーサルシリアルバス（ＵＳＢ）ポートを含み、限定的ではないが、外部デバイスはコンピュータを含み、限定的ではないが、回路は印刷回路基板（ＰＣＢ）を含んでいる。
【００３９】
本発明の好適な実施形態において、回動自在コネクタ内へのアンテナの搭載を通じて、データカードのデータカード本体の角度が如何様に回動されても、外部デバイスの端部に対するアンテナの相対位置は変化することなく、アンテナは同様に維持され、アンテナと外部デバイスとの間の距離は固定され、外部デバイスに対するデータカード本体の相対位置のみが変化されるということが、実施形態から理解され得る。したがって、アンテナの性能は予め調節されて、アンテナの性能への外部デバイスの干渉は排除されることが可能である。一方で、アンテナが回動自在コネクタ内に配置されているので、後端位置に配置された場合、回動自在コネクタの得られる空間はアンテナによって占有された空間よりもはるかに大きく、これはアンテナの性能にきわめて有利である。さらに、アンテナは後部位置から回動自在コネクタへと移動されるので、データカードの長さは顕著に減少され、データカード全体のサイズはさらに減少されている。
【００４０】
上述の記載は本発明のいくつかの例示的な実施形態を単に記載したものであるが、本発明を限定しようとするものではない。任意の変化、等価な置換、または改良が、本発明の思想および原理から逸脱することなく実施され、それらは本発明の範囲内に収まるべきである。
【符号の説明】
【００４１】
１  ・・・データカード本体、      ２  ・・・回動自在コネクタ、      外部ポート、      ４  ・・・アンテナ、      ５  ・・・ケーブル、      ６  ・・・回路、      ７  ・・・回動シャフト、      ８  ・・・弾性金属シート、      ９  ・・・金属製回動シャフトブラケット、      ４１  ・・・接続供給ポイント、      ６１  ・・・アンテナ供給ポイント
【図１】
0005459810.tif 000002
【図２】
0005459810.tif 000003
【図３】
0005459810.tif 000004
【図４】
0005459810.tif 000005
【図５】
0005459810.tif 000006
【図６】
0005459810.tif 000007
【図７】
0005459810.tif 000008
【図８】
0005459810.tif 000009
【図９】
0005459810.tif 000010